(57)【要約】【課題】必要事項が印刷されたカットシールを障害福祉サービス受給者証の所定のページにきれいに貼着することができる障害福祉サービス受給者証の作成方法を提供するものである。【解決手段】支援費の受給に必要な情報をコンピュータに入力し、入力された情報から障害福祉サービス受給者証に記載すべき必要事項を用紙に剥離・貼着可能なカットシール８に印刷し、必要事項が印刷されたカットシール８を剥ぎながら四角形状の側辺に切欠部１１が形成されているカットシール移し換え用シート１０に移し換え、カットシール移し換え用シート１０の切欠部１１を覆うカットシール部分を押さえて障害福祉サービス受給者証１の所定のページに貼着した後、カットシール移し換え用シート１０をカットシール８から分離し、カットシール８をページ全体に貼着して障害福祉サービス受給者証を作成する。【選択図】図３
2010247374.tif 000002
【特許請求の範囲】
【請求項１】
支援費の受給に必要な情報をコンピュータに入力し、入力された情報から障害福祉サービス受給者証に記載すべき必要事項を用紙に剥離・貼着可能なカットシールに印刷し、必要事項が印刷されたカットシールを剥ぎながら四角形状の側辺に切欠部が形成されているカットシール移し換え用シートに移し換え、カットシール移し換え用シートの切欠部を覆うカットシール部分を押さえて障害福祉サービス受給者証の所定のページに貼着した後、カットシール移し換え用シートをカットシールから分離し、カットシールをページ全体に貼着することを特徴とする障害福祉サービス受給者証の作成方法。
【請求項２】
カットシール移し換え用シートの形状が、シールより大きい四辺形で、側辺に移し換えられたシールが重ならない切り欠き部が形成されていることを特徴とする請求項１に記載の障害福祉サービス受給者証の作成方法。
【発明の詳細な説明】
【技術分野】
【０００１】
本発明は、障害者が障害福祉サービスを受給するために必要な事項を記入する障害福祉サービス受給者証の作成方法に関する。  
【背景技術】
【０００２】
障害福祉サービス受給者証は、障害者が市町村から障害福祉サービスを受給するために必要な事項を記入する証書であり、身体障害者居宅生活支援、知的障害者居宅生活支援、児童居宅生活支援がある。障害福祉サービス受給者証は、大きさがＢ７サイズの手帳と同程度の大きさで、利用者およびサービス事業者が必要事項を記入する約２５〜４０ページの見開き型の冊子となっている。
【０００３】
図５及び図６において、障害福祉サービス受給者証１は受給に必要な事項を記載する記入欄２が印刷された、複数のページから構成される冊子となっている。必要事項を記入した障害福祉サービス受給者証１は、図６に示すように、見開きのカバーケース３に設けられた係止片４，５に係止して収納される。一方の係止片５には、保険証や診察カードを差し込むスリット６が形成されている。
【０００４】
障害福祉サービス宅受給者証は、冊子が見開きとなっているために、裏表を含め各ページの記載欄に各種の必要事項を記入しなくてはならないが、各ページの記載欄にいちいち手書きで記入していくのは手間がかかるだけでなく、間違いや見落としのおそれがある。そこで、プリンターを利用して印刷することが考えられるが、障害福祉サービス受給者証は１ページから表面、裏面、表面の順に印刷面があるので、通常のプリンターでは冊子に印刷することができない。そのため、銀行通帳の自動記帳装置のように入力された必要事項を表面、裏面の各ページに自動的に印刷することが考えられる。しかしながら、自動記帳装置は、構造やソフトが複雑となり、その設置に費用がかかるという問題があった。
【０００５】
そこで、本出願人は、費用をかけることなく簡単に作成することができる障害福祉サービス受給者証の作成システムを提案した（特許文献１参照）。この障害者サービス受給者証の作成システムは、障害福祉サービスの受給に必要な情報をコンピュータに入力し、入力された情報から障害福祉サービス受給者証に記載すべき必要事項を用紙に剥離・貼着可能なカットシールに印刷し、必要事項が印刷されたカットシールを障害福祉サービス受給者証の冊子の各ページに貼着し、貼着した後、カバーケースに収納するものである。
【先行技術文献】
【特許文献】
【０００６】
【特許文献１】特開２００４−１０２０５９号公報
【発明の概要】
【発明が解決しようとする課題】
【０００７】
前記特許文献１に記載された障害福祉サービス受給者証のシステムでは、必要事項が印刷されたカットシールを剥がして障害福祉サービス受給者証の所定のページに貼る際に、斜めにならないように、あるいはページからはみ出たりしないようにきれいに貼着するのに手間がかかっていた。
【０００８】
そこで、本発明は、必要事項が印刷されたカットシールを障害福祉サービス受給者証の所定のページにきれいに貼着することができる障害福祉サービス受給者証の作成方法を提供するものである。
【課題を解決するための手段】
【０００９】
本発明の障害福祉サービス受給者証の作成システムは、障害福祉サービスの受給に必要な情報をコンピュータに入力し、入力された情報から障害福祉サービス受給者証に記載すべき必要事項を用紙に剥離・貼着可能なカットシールに印刷し、必要事項が印刷されたカットシールを剥ぎながら四角形状の側辺に切欠部が形成されているカットシール移し換え用シートに移し換え、カットシール移し換え用シートの切欠部を覆うカットシール部分を押さえて障害福祉サービス受給者証の所定のページに貼着した後、カットシール移し換え用シートをカットシールから分離し、カットシールをページ全体に貼着することを特徴とする。
【００１０】
カットシール移し換え用シートの形状は、シールより大きい四辺形で、側辺に移し換えられたシールが重ならない切り欠き部が形成されている。
【発明の効果】
【００１１】
本発明の障害福祉サービス受給者証の作成方法により、コンピュータに必要事項を入力することにより、障害福祉サービス受給者証に記載すべき事項が容易にカットシールに印刷され、印刷されたカットシールをカットシール移し換え用シートにより障害福祉サービス受給者証の所定のページに容易に且つきれいに貼着するができる。
【図面の簡単な説明】
【００１２】
【図１】本発明で利用する障害福祉サービス受給者証作成システムを示す図である。
【図２】本発明においてカットシールを剥離する状態を示す斜視図である。
【図３】本発明においてカットシール移し換え用シートでカットシールを貼着する課程を示す図である。
【図４】本発明において所定のページにカットシールを貼着する状態を示す斜視図である。
【図５】障害福祉サービス受給者証とこれを収納するカバーケースの斜視図である。
【図６】障害福祉サービス受給者証をカバーケースに収納した状態を示す斜視図である。
【発明を実施するための形態】
【００１３】
本発明の実施例について図を参照しながら説明する。
【実施例１】
【００１４】
図１に示す障害福祉サービス受給者証作成システムおいて、障害福祉サービス受給者証を発行する市町村の部署では、コンピュータ７に支給申請書や決定通知書に記載されている発行に必要な事項を入力する。コンピュータ７は、入力された情報をもとに障害福祉サービス受給者証１に記入すべき事項を演算する。演算結果を出力して、図２に示すカットシール８（図２では３枚）に必要事項を印刷する。
【００１５】
カットシール８はＡ４の大きさの台紙９に様式の異なる３枚のカットシール８が貼着されており、それぞれのカットシール８に必要事項が印刷される。台紙９から剥離したカットシール８は、裏面に接着層が形成されており、障害福祉サービス受給者証１の所定のページに貼着可能となっている。
【００１６】
図３に示すように、台紙９からカットシール９を剥離して障害福祉サービス受給者証１の所定のページに手間を掛けずに移し換えてきれいに貼着するのに、カットシール移し換え用シート１０（以下「シール移し換え用シート」という。）を利用する。
【００１７】
シール移し換え用シート１０は、図３（ａ）に示すように、四角形状で、台紙９から剥離したカットシール８の全体が載るようにカットシール８よりやや大きく形成されている。シール移し換え用シート１０の一辺１２に台紙９から移し換えられたカットシール８が重ならない切り欠き部１１が形成されている。
【００１８】
必要事項が印刷されたカットシール８を障害福祉サービス受給者証１の所定のページへ移し換える手順は、まず、図３（ａ）に示すように、カットシール８を台紙９から剥ぎながらカットシール８の下側に、シール移し換え用シート１０の切欠部１１が形成された辺をカットシール８の奥の辺１３に合うまでシール移し換え用シート１０を差し入れて位置決めする。次いで、図３（ｂ）に示すように、カットシール８をシール移し換え用シート１０に載せて軽く貼着する。
【００１９】
その後、図３（ｃ）に示すように、シール移し換え用シート１０の切欠部１１が形成された辺を障害福祉サービス受給者証１の所定のページの辺に合わせて位置決めした後図３（ｄ）に示すように、シール移し換え用シート１０の切欠部１１を覆うカットシール部分１４を押さえて障害福祉サービス受給者証の所定のページに貼着した状態でシール移し換え用シート１０をカットシール８から分離したのち、カットシールを押さえてページ全体に貼着する。
【００２０】
図４に示すように、必要事項が印刷された各カットシール８が、台紙９から剥がれて所定のページにそれぞれ移し換えられて貼着されて、障害福祉サービス受給者証が作成される。作成された障害福祉サービス受給者証１をカバーケース３の係止片４，５に係止して収納する。
【００２１】
本発明のシステムによれば、障害福祉サービス受給者証に記載すべき事項がコンピュータから出力されてカットシールに印刷され、シール移し換え用シートを利用して所定のページにカットシールを貼着するだけで手間を掛けることなく容易に障害福祉サービス受給者証を作成することができる。
【符号の説明】
【００２２】
１：障害福祉サービス受給者証
２：記入欄
３：カバーケース
４：係止片
５：係止片
６：スリット
７：コンピュータ
８： カットシール
９：台紙
１０：カットシール移し換え用シート
１１：切り欠き部
１２：シール移し換え用シートの一辺
１３：カットシールの奥の辺
１４：カットシール部分
【図１】
2010247374.tif 000003
【図２】
2010247374.tif 000004
【図３】
2010247374.tif 000005
【図４】
2010247374.tif 000006
【図５】
2010247374.tif 000007
【図６】
2010247374.tif 000008